(57)【要約】      （修正有）【課題】操作ロープと握り部の固定、操作ロープと座板の固定を簡略化する。【解決手段】ロープ１の一端に設けた握持部２と、ロープ１の他端に設けた座板装着部３とを有し、握持部２は、嵌合自在の第１ピース５と第２ピース６とから構成され、第１ピース５の上端部には嵌合突部５６が形成され、第２ピース６の上端部には、第１ピース５と第２ピース６の嵌合方向に延出する第１部分６５０と、嵌合方向と直交して延出する第２部分６５１とからなる開口部６５が形成されており、第２部分６５１の略下方において、玉結び部１０を収納する収納部が形成されている。第１ピース５と第２ピース６の嵌合時に、第２ピース６の開口部６５の第２部分６５１にロープ１を挿通させ、第２ピース６の収納部に玉結び部１０を受け入れた状態で、第１ピース５の嵌合突部５６を第２ピース６の第１部分６５０に嵌合させて、ロープ１の一端に握持部２を固定する。【選択図】図２
2006265973.tif 000002
【特許請求の範囲】
【請求項１】
繊維製ロープの端部にロープ径より太い抜け止め部を形成してなる操作ロープと、
操作ロープの一端に設けた握持部と、
操作ロープの他端に設けられ、シャッター座板に装着される座板装着部とを有し、
握持部は、互いに嵌合自在の第１ピースと第２ピースとから構成され、
第１ピースの上端部には嵌合突部が形成され、
第２ピースには、上端部において、第１ピースと第２ピースの嵌合方向に延出する第１部分と、嵌合方向に直交する方向に延出する第２部分とから略Ｌ形状を有する開口部が形成され、該第２部分の略下方において、前記抜け止め部を収納する収納部が形成されており、
第１ピースと第２ピースの嵌合時に、第２ピースの開口部の第２部分に操作ロープを挿通させて、前記収納部に抜け止め部を受け入れた状態で、第１ピースの嵌合突部を第２ピースの開口部の第１部分に嵌合させることで、操作ロープの一端に握持部を固定することを特徴とする窓シャッター用操作具。
【請求項２】
請求項１において、座板装着部は、座板に形成された孔部より大きい外形を有する大径部と該孔部に嵌着可能な小径部とからなる短筒状の本体を有し、本体の大径部側に操作用ロープの他端に形成した抜け止め部を受け入れ、本体の小径部側から延出する操作ロープの一端側を前記孔部から貫通させて、該小径部を該孔部に嵌着するように構成されていることを特徴とする窓シャッター用操作具。
【発明の詳細な説明】
【技術分野】
【０００１】
本発明は、操作ロープを有する窓シャッター用の操作具に関するものである。
【背景技術】
【０００２】
窓シャッターのシャッターカーテン下端の座板に操作ロープを設けて、操作ロープを引っ張ることで、シャッターカーテンを降下させて窓開口部を閉鎖することが行われる。同様の機能を有する部材については、特許文献１，２にも記載されている。
【０００３】
図１０は、従来の窓シャッター用操作ワイヤの全体図である。従来は、コーティングワイヤ１´の一端に握り玉２´をカシメ固定し、コーティングワイヤ１´の他端に取付ボルト３Ａをカシメ固定し、取付ボルト３Ａを座板４の孔部４０に下方から挿入して、袋ナット３Ｂを取付ボルト３Ａに締め付けることで、操作ワイヤを座板４に取り付けていた。
【０００４】
しかしながら、ワイヤと握り玉、ワイヤと取付ボルトの連結をカシメ固定で行っていたため、連結が外れないようにカシメの強さを管理する必要があった。さらに、ワイヤと座板との連結に工具が必要となるので、作業性が悪いものとなっていた。
【０００５】
また、ワイヤは、使用中に捩れ・折れ癖がついたり、手で触れた時の感触が悪く、使用中にワイヤが切断してしまったり、ワイヤの表面がささくれたような場合には不注意で手を傷つけてしまうおそれもある。
【特許文献１】特開２００２−２２７５７０
【特許文献２】特開平５−８６７７８
【発明の開示】
【発明が解決しようとする課題】
【０００６】
本発明は、操作ロープと握り部の固定、操作ロープと座板の固定を簡略化することを目的とするものである。本発明の他の目的は、使用中に操作ロープに折れ癖がつくことを防止すると共に、手で触れた時の感触が良好な操作ロープを提供することにある。
【課題を解決するための手段】
【０００７】
かかる課題を達成するために本発明が採用した窓シャッター用操作具は、繊維製ロープの端部にロープ径より太い抜け止め部を形成してなる操作ロープと、操作ロープの一端に設けた握持部と、操作ロープの他端に設けられ、シャッター座板に装着される座板装着部とを有し、握持部は、互いに嵌合自在の第１ピースと第２ピースとから構成され、第１ピースの上端部には嵌合突部が形成され、第２ピースには、上端部において、第１ピースと第２ピースの嵌合方向に延出する第１部分と、嵌合方向に直交する方向に延出する第２部分とから略Ｌ形状を有する開口部が形成され、該第２部分の略下方において、前記抜け止め部を収納する収納部が形成されており、第１ピースと第２ピースの嵌合時に、第２ピースの開口部の第２部分に操作ロープを挿通させて、前記収納部に抜け止め部を受け入れた状態で、第１ピースの嵌合突部を第２ピースの開口部の第１部分に嵌合させることで、操作ロープの一端に握持部を固定する。一つの態様では、抜け止め部は、玉結び部である。また、一つの態様では、第１ピースの上端部には該嵌合突部に隣接する開口部が形成されており、第１ピースと第２ピースを嵌合する際に、当該開口部によって操作ロープの逃げを形成する。
【０００８】
本発明が採用した座板装着部は、座板に形成された孔部より大きい外形を有する大径部と該孔部に嵌着可能な小径部とからなる短筒状の本体を有し、本体の大径部側に操作用ロープの他端に形成した抜け止め部を受け入れ、本体の小径部側から延出する操作ロープの一端側を前記孔部から貫通させて、該小径部を該孔部に嵌着するように構成されている。
【発明の効果】
【０００９】
請求項１に記載したものでは、第１ピースと第２ピースという二つの部材間にロープ端部を挟んで、両ピースを嵌合させるだけで簡単に操作ロープ端部に握持部を固定することができる。しかも、第１ピースと第２ピースの嵌合方向とは直交する方向に延出する第２ピースの第２部分に操作ロープが収容されるので、第１ピースと第２ピースを離脱させる方向に操作ロープから力が作用することはない。
【００１０】
請求項２に記載したものでは、操作ロープを引っ張ることで、操作ロープ端部の座板装着部が座板の孔部に嵌着（スナップ嵌合）できるので、従来の工具を用いた固定手段に比べて簡単に操作ロープ端部を座板に連結することができる。操作ロープ端部の装着部は座板に対して嵌着（スナップ嵌合）するので、従来のように螺子が緩んで取付ボルトがナットから離脱してしまうようなことがない。
【００１１】
請求項１，２に記載したものは共に繊維製ロープを用いているので、ワイヤのように捩れ・折れ癖がつくことがなく、操作ロープ接触時の感触がワイヤに比べて人に優しく良好である。また、繊維製ロープは低価格で入手することができ、操作ロープ全体のコストを下げることが可能である。
【発明を実施するための最良の形態】
【００１２】
窓シャッター用操作具は、操作ロープ１と、操作ロープ１の一端に設けた握持部２と、操作ロープ１の他端に設けた座板装着部３とを有する。操作ロープは、座板装着部３を座板４の孔部４０に装着することで座板４に連結され、握持部２を握って操作ロープを引っ張ることで、手動でシャッターカーテンを降下させる。
【００１３】
操作ロープ１は、繊維製の紐であり、両端には抜け止め部として例示する玉結び部１０が形成されている。操作ロープ１を繊維製の紐から構成することで、コーティングワイヤのように捩れ・折れ癖がつくことがなく、コーティングワイヤのように表面がささくれて操作者が指を怪我するようなことがない。繊維製の紐からなる操作ロープ１では、ロープ接触時の感触がワイヤに比べて人に優しく良好である。また、操作ロープ１を構成する繊維製の紐は低価格で入手することができ、操作ロープ全体のコストを下げることが可能である。
【００１４】
握持部２は、所定の厚みを有する縦長状の部材であり、握り易いように周面にＲ（アール）が付けてある。握持部２は、互いに嵌合自在の第１ピース５と第２ピース６から構成されている。第１ピース５、第２ピース６は共に縦長状の部材であり、下方側が連結片７によって連結されており、連結片７を介して互いに開閉自在となっている。本明細書では、連結片７によって連結された側を下方とし、反対側を上方とする。連結片７は必須の構成要素ではなく、独立した第１ピース５、第２ピース６を嵌着させて握持部２を形成してもよい。握持部２の内部には、操作ロープ１の一端の玉結び部１０を受け入れる空間が形成されている。第１ピース５の背面には円形状の磁石８が埋設されており、操作ロープの不使用時には、握持部２は磁石８を介してシャッターに磁着しておくようになっている。図示のものでは、第１ピース５の背面に磁石８を設けたが、磁石８を設ける部位は限定されず、磁石８を第２ピースに設けても良い。
【００１５】
第１ピース５は、上方側には、ロープ端部の収納部を構成する空間Ｓ１が形成されており、下方側には、背面に露出するように磁石８が埋設されている。第１ピース５の面部５´の内側の周縁は段部５０となっており、第１ピース５と第２ピース６の嵌合時に、第２ピース６の内側の周縁の周壁６０が段部５０に当接して密着するようになっている。第１ピース５の周縁の段部５０には、第２ピース６の周縁の周壁６０に突成した係止片６１を受け入れる係止凹部５１が形成されており、第１ピース５と第２ピース６が嵌合した時の上下方向のズレ止めとなっている。第１ピース５の内側には、上方側の空間Ｓ１の左右に位置して第１係止片５２が、係止凹部５１に近接して第２係止片５３が突成されている。第１ピース５の上壁５４には、操作ロープ１の端部を挿入する開口５５が形成されており、開口５５に近接して嵌合突部５６が形成されている。
【００１６】
図５、図８に示すように、嵌合突部５６は、第２ピース６の平面視Ｌ形状の開口部６５の嵌合方向に延出する第１部分６５０に嵌合する第１部分５６０と、第２ピース６の開口部６５の幅広部６５２に嵌合する第２部分５６１とを有しており、嵌合突部５６を段部状に形成することで、嵌合突部５６の挿入方向に対して直角方向の力に対する補強がなされている。
【００１７】
第２ピース６の上方側には、開口部６５の下方に位置して、操作ロープ端部の収納部を構成する空間Ｓ２が形成されている。第１ピース５と第２ピース６が嵌合した状態では、操作ロープ１の端部の玉結び部１０は、空間Ｓ２において、第２部分の略下方部分に収納される。第２ピース６の面部６´の内側の周縁は周壁６０となっており、第１ピース５と第２ピース６の嵌合時に、第１ピース５の内側の周縁の段部５０に当接して密着するようになっている。第２ピース６の周縁の周壁６０には、第１ピース５の周縁の段部５０に形成した係止凹部５１に係合する係止片６１が形成されている。第２ピース６の内側には、上方側の空間Ｓ２の左右に位置して第１係止孔６２が、係止片６１に近接して第２係止孔６３が形成されている。第２ピース６の上壁６４は面部６´や周壁６０に比べて厚肉であり、厚肉の上壁６４には、ロープ端部を挿入すると共に、第１ピース５の嵌合突部５６が嵌合する開口部６５が形成されている。
【００１８】
図５、図７、図８に示すように、開口部６５は、第１ピース５と第２ピース６の嵌合方向に延出する第１部分６５０と、第１部分６５０（第１ピース５と第２ピース６の嵌合方向）に直交する方向に延出する第２部分６５１とを有する。第１部分６５０の下方側は第２部分６５１と反対方向に延出する幅広部６５２に形成されており、第１部分６５０は段部状となっている。
【００１９】
操作ロープ１の端部と握持部２との連結について説明する。第２ピースの第２部分６５１の経緯の寸法Ｄは、通常時の操作ロープ１の径よりも僅かに小さめに設定されており、第２部分６５１に操作ロープ１を押し込めることで操作ロープ１が第２部分６５１内に密接状に納まるようになっている。この状態では、第２ピース６の第２部分６５１内に位置する操作ロープ１から、第２ピース６の第２部分６５１の壁面、第１ピース５の嵌合突部５６の壁面に力が作用し得るが、第１ピース５の嵌合突部５６の壁面に作用する力は、第１ピース５と第２ピース６の嵌合方向と直交する方向の力なので、かかる力は、第１ピース５の嵌合突部５６を第２ピースの第１部分６５０の壁面に押し付ける方向に作用するため、第１ピースと第２ピースを離脱させ難くなる。操作ロープ１を第２ピースの第２部分６５１に挿通させ、ロープ端部の玉結び部１０を収納空間Ｓ２に位置させた状態において、第１ピース５の嵌合突部５６を第２ピース６の開口部６５の第１部分６５０，幅広部６５２に嵌合させる。第１ピース５の嵌合突部５６（第１部分５６０）の先端の角部は、少なくとも第２ピース６の第２部分６５１側において、Ｒ（アール）が付けてある。すなわち、第１ピース５の嵌合突部５６（第１部分５６０）の先端の角部を湾曲面とすることで、第１ピース５の嵌合突部５６（第１部分５６０）が第２ピース６の開口部６５の第１部分６５０に嵌合する時に、操作ロープ１の逃げを設けることで、操作ロープ１が第１部分６５０にしっかりと納まらなかった場合であっても、嵌合突部５６（第１部分５６０）が操作ロープ１を挟んでしまうことを可及的に防止している。第２ピース６の面部６´の内側には、収納空間Ｓ２において、第２ピース６の開口部６５の第１部分６５０の直下に位置してガイドＧが突設されている。図７に示すように、ガイドＧは、収納空間Ｓ２に受け入れられた操作ロープ１の端部及び玉結び部１０が開口部６５の第２部分６５１から第１部分６５０へ移動することを規制している。すなわち、収納空間Ｓ２をガイドＧが仕切ることで、開口部６５の第２部分６５１の略下方の空間が操作ロープ１の端部の玉結び部（抜け止め部）１０の収納部を形成している。また、第１ピース５と第２ピース６が嵌合した状態では、第１ピース５の上壁５４の上面は、第２ピース６の上壁６４の下面６４０に密接している。操作ロープ１の端部は、互いに嵌脱自在の第１ピース５及び第２ピース６から構成される握持部２に対して連結されているので、操作ロープ１の座板装着部３を座板３に装着した後であっても、把持部２は操作ロープ１に対して着脱自在である。
【００２０】
座板装着部３は、大径部３０と、大径部３０の上端側に被着されるキャップ３１と、大径部３０の下端側に一体形成された小径部３２とから構成されている。大径部３０と小径部３２とで、上下両端が開口状で短筒状の座板装着部本体を構成している。大径部３０は、座板４に形成された円形状の孔部４０より大きい外形寸法を有し、小径部３２は、孔部４０に嵌着可能な嵌着片３２０から構成されている。大径部３０の上端側の開口から、大径部３０の内部に操作ロープ１の玉結び部１０を収納させた状態で、嵌着片３２０を構成する小径部３２の下端側の開口から操作ロープ１が垂下するようになっている。キャップ３１は、本体３０の上端側の開口部を被覆するように装着され、操作ロープ１の端部の玉結び部１０を本体の大径部３０内部に収納した状態で、大径部３０の上端側の開口をキャップ３１で塞ぐことで、操作ロープ１の抜けを防止する。
【００２１】
大径部３０の下方側に一体的に形成された小径部３２は、大径部３０の下方の開口の周縁から下方に延出する複数の嵌着片３２０から構成されている。嵌着片３２０の先端部には傾斜部が形成されていると共に、傾斜部の基端側が抜け止め係止部を構成している。大径部３０の下方の円形状の開口の周縁に沿って円周状に配設されている複数の嵌着片３２０の先端部を座板４の孔部４０に当てた状態で、操作ロープ１を引っ張ると、座板装着部３は、嵌着片３２０を介して、座板４の孔部４０にスナップ嵌合する。複数の嵌着片３２０を図示したが、嵌着片を、弾性を有する筒状体から一体形成し、筒状体の先端部に傾斜部を形成して、筒状嵌着片を座板の孔部に嵌着させてもよい。尚、図示の例では、座板装着部３を座板４の上方から取り付けるものを示したが、座板装着部３を座板４の下方から取り付けてもよい。
【産業上の利用可能性】
【００２２】
本発明は、窓シャッター用の操作具に利用することができる。
【図面の簡単な説明】
【００２３】
【図１】本発明に係る操作ロープの全体図である。
【図２】座板孔部と座板装着部の連結、操作ロープ本体と握持部の連結、を説明する図である。
【図３】操作ロープ本体の一端に座板装着部が連結されたものを示し、座板装着部については断面で示してある。
【図４】握持部を構成する第１ピース、第２ピースを展開して示す図である。
【図５】第１ピース及び第２ピースの平面図である。
【図６】第１ピースと第２ピースが嵌合した状態を示す平面図である。
【図７】第２ピースの内側の正面図であり、操作ロープ本体を第２部分に挿入した状態を示す。
【図８】第１ピース、第２ピースの上端部位の斜視図である。
【図９】座板装着部を構成する本体とキャップの部品図である。
【図１０】従来の操作ワイヤの全体図である。
【符号の説明】
【００２４】
１  操作ロープ
１０  玉結び部
２  握持部
３  座板装着部
３０  大径部
３２  小径部
３２０  嵌着片
４  座板
４０  孔部
５  第１ピース
５５  開口
５６  嵌合突部
６  第２ピース
６５  開口部
６５０  第１部分
６５１  第２部分
【図１】
2006265973.tif 000003
【図２】
2006265973.tif 000004
【図３】
2006265973.tif 000005
【図４】
2006265973.tif 000006
【図５】
2006265973.tif 000007
【図６】
2006265973.tif 000008
【図７】
2006265973.tif 000009
【図８】
2006265973.tif 000010
【図９】
2006265973.tif 000011
【図１０】
2006265973.tif 000012